(57)【要約】【課題】  本発明の課題は、受信機をコンパクトな形態として使用者に装着可能にするとともに、受信機を装着した使用者にとって聞き取りやすい音声出力を可能とした音声伝達装置を提供することにある。【解決手段】  音響機器Ｔからの音声信号を赤外線信号に変調して送信する送信機１と、送信機１からの赤外線信号を受信し音声信号に復調して音声再生する受信機２とからなる音声伝達装置であって、受信機２は、送信機１からの赤外線信号を受信する受光部６と、使用者の胸元近傍に装着するための装着部１６と、使用者に向けて音声出力するスピーカ１０とを備え、受信機２を装着部１６により装着した姿勢で、受光部６を前面に配置するとともに、スピーカ１０を上面に、且つ使用者側に傾斜させて配置した。【選択図】図３
2009118409.tif 000002
【特許請求の範囲】
【請求項１】
音響機器からの音声信号を変調して送信する送信機と、該送信機からの信号を受信し音声信号に復調して音声再生する受信機とからなる音声伝達装置であって、
前記受信機は、送信機からの信号を受信する受信部と、使用者の胸元近傍に装着するための装着部と、使用者に向けて音声出力するスピーカとを備え、
前記装着部により受信機を装着した姿勢で、前記スピーカを上面に、且つ使用者側に傾斜させて配置したことを特徴とする音声伝達装置。
【請求項２】
前記装着部は、受信機の本体ケーシング背面に設けられ、使用者の胸元に受信機を挟着するクリップ体であることを特徴とする上記請求項１記載の音声伝達装置。
【請求項３】
前記装着部は、受信機の本体ケーシングにスピーカを挟んで取り付けられ、使用者の首に掛けて受信機を装着するストラップであることを特徴とする上記請求項1記載の音声伝達装置。
【請求項４】
前記スピーカよりも使用者の耳元に接近した位置で音声出力する第２スピーカを備えたことを特徴とする上記請求項１記載の音声伝達装置。
【発明の詳細な説明】
【技術分野】
【０００１】
本発明は、テレビの音声を離れた位置で聴取する装置に関して、特に赤外線や電波により音声信号を伝達する音声伝達装置に関するものである。
【背景技術】
【０００２】
この種の装置として、特許文献１が知られている。この装置は、テレビの音声信号を赤外線信号にて送信する送信部と、使用者の近傍でこの赤外線信号を受信して音声再生する受信部とから構成されており、テレビから離れた位置で鮮明な音声を再生することができ、高齢者や難聴者を中心に利用されている。
【０００３】
この装置は、テレビの音声出力端子に接続し、テレビ本体からの音声出力を有効にしたまま、受信機を使用者がいる卓上に載置するか、或いは使用者自身が受信機を抱えた状態で使用されている。こうした使用形態の場合、健聴者と難聴者が共存する空間で、テレビからの音声出力と受信機からの音声出力が混在し、健聴者にとっては耳障りな環境となる。また、受信機からの音声を聞き取る使用者にとっても、場所を動いたり、体勢を変えたりして受信機から少しでも離れると、音が聞き取りにくくなるという問題があった。
【特許文献１】登録実用新案第３０５３６８０号
【発明の開示】
【発明が解決しようとする課題】
【０００４】
そこで、本発明が解決しようとする課題は、受信機をコンパクトな形態として使用者に装着可能にするとともに、受信機を装着した使用者にとって聞き取りやすい音声出力を可能とした音声伝達装置を提供することにある。
【課題を解決するための手段】
【０００５】
本発明は上記課題を解決するために、音響機器からの音声信号を変調して送信する送信機と、該送信機からの信号を受信し音声信号に復調して音声再生する受信機とからなる音声伝達装置であって、前記受信機は、送信機からの信号を受信する受信部と、使用者の胸元近傍に装着するための装着部と、使用者に向けて音声出力するスピーカとを備え、前記装着部により受信機を装着した姿勢で、前記スピーカを上面に、且つ使用者側に傾斜させて配置したものである。
【０００６】
受信機の装着部は、本体ケーシング背面に設けられた弾性クリップ体、もしくは本体ケーシングのスピーカを挟んで取り付けられるストラップである。
【発明の効果】
【０００７】
本発明の音声伝達装置によれば、受信機を小型にして使用者の胸元に取り付けられるようにしたので、使用者がテレビを視聴する場所や体勢に自由度ができ、より汎用性の高い装置を提供することができる。また、受信機におけるスピーカの向きを、受信機を取り付けた姿勢から垂直上向き方向に対して使用者側に傾斜させたので、受信機を取り付けるだけで使用者にとって最も聞き取りやすい状態で音声が出力され、周囲の人への影響を抑えながら鮮明な音声を聴取することができる。
【実施例１】
【０００８】
以下、本発明の実施例１について図面を基に説明する。図１は実施例１の音声伝達装置をテレビに取り付けて使用する状態を示す説明図である
本発明に係る音声伝達装置は、音声信号を赤外線信号で送信する送信機１と、この送信機１が発信する赤外線信号を受信して音声信号を出力する受信機２とから構成され、送信機１をテレビＴのイヤホン端子又はライン端子に接続し、取り込んだ音声信号を赤外線信号に変換して送信し、受信機２でその赤外線信号を受信して音声として再生するものである。
【０００９】
図２は同装置のブロック図である。
送信機１は、電源入切及び電流変換を行う電源部３と、テレビの音声信号を変調する変調部４と、変調した音声信号を赤外線発光する赤外線発光部５を備えている。電源部３は、商用交流電源ＶをＤＣ電源に変換する機能と、テレビＴからの音声が入切するのに合わせて電源を入切する機能を備えている。
【００１０】
受信機２は、送信機１の発光部５からの赤外線信号を受信する赤外線受光部６と、受光部６で受信した赤外線信号を音声信号に復調する復調部７と、復調された音声信号を増幅する増幅部８と、復調された音声信号の高音域を強調する高音域増幅部９と、増幅した音声信号を再生するスピーカ１０とを備えている。増幅部８は、通常の音域周波数帯（３００〜４ＫＨｚ）のレベルを一様に増幅し、高域信号増幅部９は、主に高齢者や難聴者が聞き取りにくいとされる高域周波数帯（２〜４ＫＨｚ）を他レベルに比べて１５ｄＢ程度増幅するものであり、音域強調スイッチ１１により切り替えられる。
【００１１】
図３は受信機２の外観を示す説明図である。
受信機２のケーシング１２は、側面視縦長で上部にいくにつれて順次前傾する形状をなし、上面にスピーカ１０、前面に受光部６・音域強調スイッチ１１・電源スイッチ１３、一側面に音量調整つまみ１４と出力端子１５、背面に使用者の胸ポケット等に取り付けるためのクリップ１６、底面に入力端子１７をそれぞれ備えている。
【００１２】
受光部６は、複数の受光素子からなり、この受光素子が配設された面は半透過性のカバーにより覆われており、送信機１からの赤外線信号を受光しやすくしている。スピーカ１０は、水平に対して背面側が低くなるように傾斜させたケーシング１２上面に取り付けられており、受信機２を装着した使用者が音声出力を受けやすいようになっている。クリップ１６は、受信機２の装着状態に関係なく、スピーカ１０が使用者の耳に指向するよう、本体ケーシング１２に対して回転自在に設けられている。これにより、音声の散乱が軽減し、使用者に対してより鮮明な音声信号を提供することができる。尚、スピーカ１０の上面には多孔ドーム状をなすカバー１８が着脱自在に取り付けられ、掃除や交換が可能になっている。
【００１３】
実施例１は以上のように構成されるものであり、送信機１をテレビＴの音声出力端子及び電源に接続して、邪魔にならない場所（例えばテレビ上面）に設置し、受信機２を使用者の胸元に取り付けた状態で使用される。従来の装置に比べ、受信機２を小型にして胸元に取り付けられるようにしたことで、使用者がテレビを視聴する場所や体勢に自由度が増し、より汎用性の高い装置となる。また、受信機におけるスピーカの向きを、水平に対して使用者側に傾斜させたことで、受信機を取り付けるだけで使用者にとって最も聞き取りやすい状態で音声が出力され、周囲の人への影響を抑えながら鮮明な音声を聴取することができる。
【００１４】
尚、卓上スタンドを付属して、従来装置のように卓上に設置して複数の使用者で音声を聴取することも可能である。また、入力端子１７に集音マイクを接続して、周囲の会話を取り込んで聞き取りやすくしたり、外部機器（ステレオやラジオ等）を接続して、音楽や番組を楽しんだりするといった使い方も可能である。
【実施例２】
【００１５】
続いて、実施例２の構成について説明する。図４は実施例２の受信機の外観を示しており、内部構造やその他周辺機器は実施例１と同じである。
この受信機２のケーシング２０は、上面に首掛けストラップ２１が着脱される構成になっている。すなわち、ケーシング２０上面のスピーカ１０を挟んだ左右に雌型コネクタ２２，２２を備え、両端に雄型コネクタ２３，２３を備えたストラップ２１を接続して使用される。使用者は、このストラップ２１によって受信機２を首からぶら下げ、スピーカ１０からの音声出力を聴取するのである。
【００１６】
また、高度難聴者に対して、更に耳元で音声を出力できるように、ストラップ２１に小型スピーカ２４，２４を取り付け可能にしている。この場合、小型スピーカ２４，２４のケーブル２５をイヤホン端子１５に接続した状態で、クリップ２６，２６等の取付手段によりストラップ２１の希望位置に取り付けるようにする。尚、ストラップ２１内の適宜位置に小型スピーカを内蔵しても良い。この場合、ケーシングのスピーカから出力するのか、ストラップのスピーカから出力するのかを選択するスイッチを設け、使用者や使用状況に応じて切り替えるようにする。
【００１７】
実施例２は以上のように構成されるものであり、ストラップによって受信機を首からぶら下げることができる。この場合、場所の移動や体勢の切り替えの度に受信機を近くに移動させる煩わしさが解消され、常に耳元付近でテレビ音声を聴取することが可能になる。また、ストラップに小型スピーカを取り付けるようにすれば、高度な難聴者であっても十分に音声を聞き取ることができ、利用範囲を広めることができる。
【００１８】
尚、これら実施例１及び２は、音声信号を赤外線信号に変調して送受信するものについて説明したが、電波信号にＦＭ変調して送受信するものでも良い。また、テレビのイヤホン端子又はライン端子に接続するのではなく、スピーカ面にマイクを貼付して音声信号をピックアップするようにしても良く、送受信の形態や音声信号の抽出方法には特に限定がない。
【図面の簡単な説明】
【００１９】
【図１】実施例1の使用例を示す説明図である。
【図２】実施例１のブロック図である。
【図３】実施例1の受信機２を示す説明図である。
【図４】実施例２の受信機２を示す説明図である。
【図５】実施例２の受信機２の応用例を示す説明図である。
【符号の説明】
【００２０】
１    送信機
２    受信機
５    発光部
６    受光部
１０  スピーカ
１６  クリップ
２１  ストラップ
【図１】
2009118409.tif 000003
【図２】
2009118409.tif 000004
【図３】
2009118409.tif 000005
【図４】
2009118409.tif 000006
【図５】
2009118409.tif 000007